(57)【要約】本発明は、高周波低減緑地屋根を記述している。この緑地屋根は、支持構築物を含み、該支持構築物は、織物繊維層および／または基材（１２）および低植物の植生層（１４）、および導電性フィラメントの平坦または三次元構造体からなる。この構造体は、この支持構築物を補充するかまたはその一部を形成する。代表的な実施形態において、隣接導電性フィラメント（１０）間の中間空間は、遮蔽する電磁高周波放射の波長の４分の１より小さい。
2005501191.tif 000002
【特許請求の範囲】
【請求項１】
高周波低減緑地屋根であって、該緑地屋根は、支持構築物を含み、該支持構築物は、織物繊維層および／または基材（１２）および低植物の植生層（１４）からなり、ここで、該支持構築物は、導電性フィラメント（１０）の平坦または三次元構造体を含み、ここで、隣接導電性フィラメント（１０）間の中間空間は、遮蔽する電磁高周波放射の波長の４分の１より小さい、
緑地屋根。
【請求項２】
前記導電性フィラメント（１０）が、互いに接続されている、請求項１に記載の高周波低減緑地屋根。
【請求項３】
前記導電性フィラメント（１０）の前記構造体が、追加層を形成するか、または前記支持構築物と一体化されている、請求項１または２に記載の高周波低減緑地屋根。
【請求項４】
前記導電性フィラメント（１０）の前記構造体が、前記支持構築物の数層を互いに接続するための、ループ構造体、マット材料または裁縫材料からなる、請求項１〜３のいずれか１項に記載の高周波低減緑地屋根。
【請求項５】
前記導電性フィラメント（１０）の前記構造体が、スクリーン、織物構造体、編物構造体またはフリースの形状で実現される、請求項１〜４のいずれか１項に記載の高周波低減緑地屋根。
【請求項６】
前記導電性フィラメント（１０）が、ストリップの形状を有する、請求項１〜５のいずれか１項に記載の高周波低減緑地屋根。
【請求項７】
隣接フィラメント（１０）間の距離が、０．５ｍｍと１０ｍｍの間にある、請求項１〜６のいずれか１項に記載の高周波低減緑地屋根。
【請求項８】
前記導電性フィラメント（１０）が、金属（例えば、銀、銅、スズ、亜鉛、アルミニウムまたはニッケル）、または合金（例えば、特殊鋼）または炭素繊維からなる、請求項１〜７のいずれか１項に記載の高周波低減緑地屋根。
【請求項９】
前記導電性フィラメント（１０）が、表面被覆を備えている、請求項１〜８のいずれか１項に記載の高周波低減緑地屋根。
【発明の詳細な説明】
【０００１】
本発明は、請求項１の前提部分に記載の高周波低減緑地屋根に関する。
【０００２】
移動式無線電話機ネットワークが普及するに伴い、十分な受信可能地域および高い呼び出し性能を提供するために、基地局の数が増えている。移動式無線電話機の仕様によれば、無線電話機は、完璧な接続に必要な送信パワーでのみ送信し得るので、原理的には、移動式無線電話機のユーザーには、高い密度の基地局があることが目的に適っている。このことは、その基地局からの距離が比較的に短いとき、移動式無線電話機の送信パワーが自動的に低下することを意味している。このことはまた、移動式無線電話機の使用者に対する放射線暴露を低下させる。
【０００３】
建物内にある基地局により発せられる高周波電磁放射線を少なくする遮蔽手段を提供することもまた、目的に適っている。その送信アンテナからの距離が短くなるにつれて、その放射線暴露が高くなるという事実、およびこれらのアンテナは、常に、建物の上にある高所で配列されているという事実に照らすと、建物の屋根は、これらの遮蔽手段には特に有効な場所であると思われる。
【０００４】
２００１年６月にＵｎｉｖｅｒｓｉｔａｅｔ  Ｇｅｓａｍｔｈｏｃｈｓｃｈｕｌｅ  Ｋａｓｓｅｌにより公開された研究（新聞発表６０／０１）では、草屋根を備えた粘土質の筒形丸天井は、移動式無線電話機ネットワークに関連した周波数範囲に対して、優れた減衰特性を有することが確認された。この場合、この減衰効果は、その周波数が高くなるにつれて、向上する。
【０００５】
この研究から、また、草屋根を備えた粘土質の筒形丸天井および約１５ｃｍの厚さを備えた軽量基材により、約４９ｄＢの送信減衰が達成できるという情報が得られる。草屋根それ自体でもなお、約２２ｄＢの放射線減衰が生じる。しかしながら、従来のタイル屋根では、約３ｄＢの放射線減衰が生じるにすぎない。この研究では、草屋根を備えた粘土質の筒形丸天井について測定された高周波電磁放射線の減衰特性がまた、支持構築物および／または基材を含み、その上に、低植物の植生層が配列されている緑地屋根にも当てはまるかどうかを結論付けることはできない。
【０００６】
本発明は、織物繊維層および／または基材を備え、その上には、低植物の植生層が配列されている緑地屋根を開発するという課題に基づいており、ここで、該緑地屋根は、高周波電磁放射線の吸収に関して、優れた特性を有する。
【０００７】
この課題は、請求項１に記載の特性を使って、達成される。
【０００８】
この導電性フィラメントの遮蔽効果は、その電磁放射線の一部が反射され電磁放射線の他の部分が渦電流損失により吸収されるという事実により、達成される。その中間空間は、この電磁放射線の波長と比較して小さいので、電磁放射線の小部分だけが、導電性フィラメントの平坦または三次元構造体を通って送信される。この場合、この植生層用の支持体としての支持構築物の機能は、損なわれない。
【０００９】
この織物繊維層および／または基材、ならびに低植物の植生層が、高周波低減に著しく寄与する。その減衰効果は、導電性フィラメントの平坦または三次元構造体および織物繊維の層、ならびに低植物の植生層の個々の減衰の合計よりも高い。観察された相乗作用は、恐らく、この導電性フィラメントにより放射された二次放射線が、直接隣接した織物繊維層および／または基材ならびに低植物の植生層により、部分的に吸収されるという事実に基づいている。
【００１０】
この個々の導電性フィラメントは、好ましくは、また、導電様式で、互いに接続されている。
【００１１】
この結果、ほぼ連続した導電表面領域が得られる。
【００１２】
導電性フィラメントの構造体は、追加層を形成し得るか、または、支持構築物と一体化され得る。
【００１３】
この支持構築物の設計に依存して、その植生を損なうことなく、導電性フィラメントの構造体と支持構築物とを合体させることが可能である。このような一体化設計を選択するとき、この導電性フィラメントの構造体はまた、この支持構築物の個々の構成要素を交換するかまたは補充し得、そして同じ目的で今まで使用されてきた非導電性材料の繊維または糸の一部と完全にまたは部分的に交換され得る。今までに使用されていた非導電性材料の一部は、それに対応して、少なくできる。
【００１４】
導電性フィラメントの構造体は、この支持構築物の数層を互いに接続するために、ループ構造体、マット材料または裁縫材料からなり得る。
【００１５】
導電性フィラメントの構造体は、スクリーン、織物構造体、編物構造体またはフリースの形状で実現され得る。
【００１６】
これらの導電性フィラメントはまた、ストリップの形状を有し得る。
【００１７】
これらの設計は、その植生層を損なうことなく、導電性フィラメントの構造体と支持構築物との一体化を簡単にする。
【００１８】
遮蔽する周波数範囲に依存して、隣接導電性フィラメント間の距離は、好ましくは、０．５ｍｍと１０ｍｍの間にある。
【００１９】
もし、導電性フィラメント間の距離が、この範囲内で選択されるなら、この平坦または三次元構造体は、大体、この電磁放射線の波長に当てはまる連続導電層のように作用する。
【００２０】
この導電性フィラメントまたはそれらの被覆用の材料は、優れた導電率を有する金属（例えば、銀、銅、スズ、亜鉛、アルミニウムまたはニッケル）、または合金（例えば、特殊鋼）または炭素繊維からなり得る。
【００２１】
これらの導電性フィラメントはまた、表面被覆を備え得る。
【００２２】
この植生層に対して非毒性の金属または金属合金か、または植物の成長を危険に晒し得るイオン、原子、分子または化合物の放出を防止するために、その植物に当てはまる中性被覆を備えた金属または金属合金か、いずれかを利用するのが好ましい。
【００２３】
これらの金属または金属合金および被覆を選択する際の他の基準は、炎症性および難燃性である。
【００２４】
本発明は、緑地屋根用の支持構築物の実施形態を参照して、以下でさらに詳細に記述される。
【００２５】
図１は、予め耕作できる支持マットの形状の緑地屋根用支持構築物を示し、ここで、底層は、厚手フリース２０からなり、そして頂層は、ループ織物１６からなり、その下部は、フリース積層体１８を備えている。フリース積層体１８を備えたループ織物１６は、接続糸２２によって、厚手フリース２０に縫われている。ループ織物１６は、植生層１４の根を収容する基材層１２を機械的に固定するように働く。導電性フィラメント１０の構造体は、厚手フリース２０の下、中または上に配列され得る。
【００２６】
ループ織物１６のフリース積層体１８を導電性フィラメント１０の構造体と交換すること、またはこのようなフィラメントでフリース積層体１８を作製することもまた、可能である。ループ織物１６を導電性フィラメント１０で補充するか交換することもまた、考えられる。接続糸２２はまた、導電性フィラメント１０で補充または置き代えることができる。
【００２７】
もし、導電性フィラメント１０の構造体が、この支持構築物の一部に一体化されるかそれを形成するなら、植生層１４は、この配置で、既に予め耕作されている。もし、導電性フィラメント１０の構造体が、この支持マットに加えて、そしてそれとは無関係に使用されるなら、この構造体の設置は、予め耕作した支持マットをその構築部位に設置したとき、行われ得る。
【００２８】
もし、厚手フリース２０を備えた支持マットを、支持マット（ここで、そのフリースは、ココナッツ繊維縫製マット、フリース付きココナッツ繊維マットまたは鉱滓綿付きココナッツ繊維マットで交換または補充されている）と交換するなら、類似の一体化が可能である。従って、これは、成長している根を補強するためにスクリーンネットワークが設けられる、支持マットに当てはまる。この場合、導電性フィラメント１０の構造体は、このスクリーンネットワークを補充し得るかまたはこの目的で今までに使用されていたポリエチレン繊維と取って代わり得る。
【００２９】
図２は、根に耐える封着層の構造体を示し、これは、建物の防水屋根被覆２８を保護するのに役立つ。この封着層は、さらに、図１による支持マットの下に設置され得る。この封着層は、ループ織物２６（これは、排水の目的で設けられた）および保護分離フリースの層２４（これは、ループ織物２６の上に配列された）からなり得る。
【００３０】
この場合、導電性フィラメント１０の構造体は、ループ織物２６と一体化され得るか、または保護分離フリース２４と一体化され得る。あるいは、これらの導電性フィラメントはまた、この織物またはフリースに必要な他の糸に取って代わり得る。
【００３１】
もし、吸湿性鉱滓綿からなる追加層が設けられるなら、導電性フィラメント１０の構造体は、必要に応じて、この層の下、中または上に配列され得る。
【図面の簡単な説明】
【図１】
図１は、本発明の緑地屋根の第一実施形態の断面である。
【図２】
図２は、本発明の緑地屋根の第二実施形態の断面である。
【国際公開パンフレット】
2005501191.tif 000003
2005501191.tif 000004
2005501191.tif 000005
2005501191.tif 000006
2005501191.tif 000007
2005501191.tif 000008
2005501191.tif 000009
2005501191.tif 000010
2005501191.tif 000011
2005501191.tif 000012
2005501191.tif 000013
2005501191.tif 000014
2005501191.tif 000015
【国際調査報告】
2005501191.tif 000016
2005501191.tif 000017
2005501191.tif 000018
2005501191.tif 000019
2005501191.tif 000020
2005501191.tif 000021